(57)【要約】【課題】通電性を有さない操作部材での操作でも、静電容量型スイッチによる感度検出が確実できるようすることが可能な静電容量型スイッチを有する操作パネルおよびその操作パネルを備えた画像形成装置を提供する。【解決手段】操作用の静電容量型スイッチを有する操作パネル１であって、静電容量型スイッチは、上方に凸となる領域を有する表面シートキー１ｓと、表面シートキー１ｓの移動により静電容量変化を検出するため、表面シートキー１ｓに対向配置された電極ＳＷとを備え、表面シートキー１ｓの周囲には、上方に向って延びる凸部１ｔが設けられ、表面シートキー１ｓの内面には、電極ＳＷとの間において静電容量を形成するＧＮＤ電極１ｐが設けられている。【選択図】図１２
2018063911.tif 000002
【特許請求の範囲】
【請求項１】
操作用の静電容量型スイッチを有する操作パネルであって、
前記静電容量型スイッチは、
上方に凸となる領域を有する表面シートキーと、
前記表面シートキーの移動により静電容量変化を検出するため、前記表面シートキーに対向配置された電極と、を備え、
前記表面シートキーの周囲には、上方に向って延びる凸部が設けられ、
前記表面シートキーの内面には、前記電極との間において静電容量を形成するＧＮＤ電極が設けられている、操作パネル。
【請求項２】
前記ＧＮＤ電極は、前記凸部の内部まで設けられている、請求項１に記載の操作パネル。
【請求項３】
前記ＧＮＤ電極は、前記表面シートキーの内面に導電体部材が印刷されるか、または、前記表面シートキーの内面に沿った曲面状の金属部材で構成されている、請求項１または請求項２に記載の操作パネル。
【請求項４】
前記凸部は、弾性変形可能な材料で形成されている、請求項１から請求項３のいずれか１項に記載の操作パネル。
【請求項５】
前記表面シートキーの内面に配置された前記ＧＮＤ電極は、複数設けられ、
それぞれの前記ＧＮＤ電極は、相互に連結された状態で、ＧＮＤ電位に接続されているか、または、個々にＧＮＤ電位に接続されている、請求項１から請求項４のいずれか１項に記載の操作パネル。
【請求項６】
前記電極のサイズは、前記表面シートキーのサイズと同等またはそれ以下である、請求項１から請求項５のいずれか１項に記載の操作パネル。
【請求項７】
前記操作パネルは、当該画像生成装置を操作させるための電源キーおよび複数の前記静電容量型スイッチを含み、
前記電源キーには、前記静電容量型スイッチが用いられていない、請求項１から請求項６のいずれか１項に記載の操作パネル。
【請求項８】
請求項１から請求項７のいずれか１項に記載の操作パネルを備えた、画像形成装置。
【発明の詳細な説明】
【技術分野】
【０００１】
本発明は、操作表示部に静電容量型スイッチが採用された操作パネルおよびその操作パネルを有する画像形成装置に関する。
【背景技術】
【０００２】
電子写真式の画像形成装置には、スキャナー機能、ファクシミリ機能、複写機能、ネットワーク機能、ボックス機能、および、プリンターとしての機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
近年、複合機などの画像形成装置には、操作パネルが備え付けられている。操作パネルは、物理的な装置として設けられたハードウェアキーと、ソフトウェアにより再現されたキーであるソフトウェアキーとを含んでいる。ユーザーは操作パネルのキーをタッチすることで、画像形成装置を操作することができる。
【０００４】
操作パネルは、ユーザーからの操作を受け付ける入力装置と、ユーザーへ各種情報を出力する出力装置とを含んでいる。入力装置は、タッチパネルやハードウェアキーなどで構成されており、出力装置はＬＣＤ（Ｌｉｑｕｉｄ  Ｃｒｙｓｔａｌ  Ｄｉｓｐｌａｙ）などで構成されている。
【０００５】
現在のハードウェアキーの多くは、押し下げの力が加えられるキートップと、キートップの下面に設けられたタクトスイッチとにより構成されている。近年、デザイン性やスイッチの保護という観点から、ハードウェアキーとして静電容量型スイッチを用いた構成が採用されつつある。操作者の指がキーを操作する際に、キーに対応して設けられた電極の静電容量の変化を、電極が接続されたチャンネルを通じて検出し、それによってキーへの操作を検出するものである。
【０００６】
ハードウェアキーとして静電容量型スイッチを用いた技術が、特開２０１６−０２５４０３号公報（特許文献１）、特開２０１１−１１３８９３号公報（特許文献２）、および、特開２０１１−０９６３６９号公報（特許文献３）に開示されている。
【０００７】
図１９は、従来の操作パネル５０１の内部に設けられた静電スイッチの制御構成を示すブロック図である。同図を参照して、従来の操作パネル５０１は、複数の電極５２０と、静電スイッチ制御部５１０と、パネルユニット制御部５６０とを備えている。複数の電極５２０の各々は、複数のキーの各々に対応して設けられている。
【０００８】
静電スイッチ制御部５１０は、複数のチャンネル５４０と、出力制御回路５５０とを含んでいる。チャンネル５４０は、接続された電極５２０の静電容量の変化を検出し、出力制御回路５５０の入力端５５１に出力する。出力制御回路５５０は、複数のチャンネル５４０からの入力に基づいて、キーへの操作を検出し、操作されたキーの情報をパネルユニット制御部５６０に出力する。
【０００９】
キートップでは樹脂状のものが一般的であるが、表面シートキーを用いている製品も出回っている。風呂給湯器、ガスコンロ、炊飯ジャーなどの操作部に適用されている。この表面シートを使用することでのメリットとしては、（ｉ）ほこりや湿気などの外部接触不良要因から保護しやすい、（ｉｉ）密閉構造のため静電気が侵入しにくく、沿面／空間距離の確保が不要なので全体の薄型化／省スペース化がしやすい、（ｉｉｉ）シートの裏面から印刷することで、印刷のかすれがない、などがある。
【先行技術文献】
【特許文献】
【００１０】
【特許文献１】特開２０１６−０２５４０３号公報
【特許文献２】特開２０１１−１１３８９３号公報
【特許文献３】特開２０１１−０９６３６９号公報
【発明の概要】
【発明が解決しようとする課題】
【００１１】
画像形成装置では、誰もが使用可能とするためユニバーサルデザインへの対応が必要である。特に身体障害者の人に対する配慮として、以下のような要件が必要である。
【００１２】
＜要件ａ＞
肢体の不自由な人がマウススティックで操作する場合に、マウススティックがキーに引っ掛かり、キーを押せること。
【００１３】
＜要件ｂ＞
静電検出できない義手やマウススティック等でも、キー操作が出来るようにすること。
【００１４】
＜要件ｃ＞
キーのどこを押しても、キー操作が均一に操作できること。
【００１５】
静電容量型スイッチを用いる場合、義手やマウススティック等（以下、「操作部材」と称する。）の通電性を有さない部材での操作では、基板上の電極と対向して、電極がないと静電容量が形成されないため、静電検出できなくなる（要件ｂ）。また、義手やマウススティック等での操作時には、確実に操作するため、静電容量型スイッチに操作部材の引っ掛かりを持たせることが必要である（要件ａ）。そこで、操作部材での操作でも、静電容量型スイッチによる感度検出が確実できるようすることが課題となる。
【００１６】
この発明は上記課題を解決するためになされたものであり、通電性を有さない操作部材での操作でも、静電容量型スイッチによる感度検出が確実できるようすることが可能な静電容量型スイッチを有する操作パネルおよびその操作パネルを備えた画像形成装置を提供することにある。
【課題を解決するための手段】
【００１７】
この操作パネルは、操作用の静電容量型スイッチを有する操作パネルであって、前記静電容量型スイッチは、上方に凸となる領域を有する表面シートキーと、上記表面シートキーの移動により静電容量変化を検出するため、上記表面シートキーに対向配置された電極とを備え、上記表面シートキーの周囲には、上方に向って延びる凸部が設けられ、上記表面シートキーの内面には、上記電極との間において静電容量を形成するＧＮＤ電極が設けられている。
【００１８】
他の形態においては、上記ＧＮＤ電極は、上記凸部の内部まで設けられている。
他の形態においては、上記ＧＮＤ電極は、上記表面シートキーの内面に導電体部材が印刷されるか、または、上記表面シートキーの内面に沿った曲面状の金属部材で構成されている。
【００１９】
他の形態においては、上記凸部は、弾性変形可能な材料で形成されている。
他の形態においては、上記表面シートキーの内面に配置された上記ＧＮＤ電極は、複数設けられ、それぞれの上記ＧＮＤ電極は、相互に連結された状態で、ＧＮＤ電位に接続されているか、または、個々にＧＮＤ電位に接続されている。
【００２０】
他の形態においては、上記電極のサイズは、上記表面シートキーのサイズと同等またはそれ以下である。
【００２１】
他の形態においては、上記操作パネルは、当該画像生成装置を操作させるための電源キーおよび複数の上記静電容量型スイッチを含み、上記電源キーには、上記静電容量型スイッチが用いられていない。
【００２２】
この画像形成装置においては、上述に記載のいずれかの操作パネルを備えている。
【発明の効果】
【００２３】
この発明によれば、通電性を有さない操作部材での操作でも、静電容量型スイッチによる感度検出が確実できるようすることが可能な静電容量型スイッチを有する操作パネルおよびその操作パネルを備えた画像形成装置の提供を可能とする。
【図面の簡単な説明】
【００２４】
【図１】実施の形態１の画像形成装置の外観を模式的に示す斜視図である。
【図２】実施の形態１の操作パネルの構成を模式的に示す図である。
【図３】実施の形態１の画像形成装置の制御構成を示すブロック図である。
【図４】実施の形態１の操作パネルの制御構成を示すブロック図である。
【図５】式２は、静電容量（感度）Ｃの計算式である。
【図６】式３は、総静電容量ＣＴＯＴの計算式である。
【図７】静電センサーにおけるセンサーと指との静電関係を示す模式図である。
【図８】実施の形態１の静電容量型スイッチの表面シートキーおよび電極と指との関係を模式的に示した図である。
【図９】実施の形態１の静電容量型スイッチの表面シートキーおよび電極と操作部材との関係を模式的に示した第１図である。
【図１０】実施の形態１の静電容量型スイッチの表面シートキーおよび電極と操作部材との関係を模式的に示した第２図である。
【図１１】ＧＮＤ電極の有無における感度検出結果を示す図である。
【図１２】実施の形態１の静電容量型スイッチの断面構造を示す図である。
【図１３】実施の形態１の表面シートキーの構成例を示す図である。
【図１４】実施の形態１の操作部材が表面シートキーの中央に位置する状態の模式図である。
【図１５】実施の形態１の操作部材が表面シートキーの周囲に位置する状態の模式図である。
【図１６】実施の形態１のＧＮＤ電極の第１接続例を示す図である。
【図１７】実施の形態１のＧＮＤ電極の第２接続例を示す図である。
【図１８】実施の形態２の画像形成装置の動作フローチャートを示す図である。
【図１９】従来の画像形成装置の操作パネルの内部に設けられた静電容量型スイッチの制御構成を示すブロック図である。
【発明を実施するための形態】
【００２５】
本発明に基づいた実施の形態における操作パネルおよび画像形成装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。また、図面においては、実際の寸法の比率に従って図示しておらず、構造の理解を容易にするために、構造が明確となるように比率を変更して図示している箇所がある。
【００２６】
以下の実施の形態では、操作検出装置が画像形成装置の操作パネルである場合について説明する。
【００２７】
画像形成装置としては、たとえばＭＦＰ、プリンター、複写機、またはファクシミリなどが挙げられる。操作検出装置は、たとえば画像読取装置、携帯電話、スマートフォン、または自動販売機などの、画像形成装置以外の装置に搭載されたものであってもよい。
【００２８】
（実施の形態１：画像形成装置１００の外観）
図１を参照して、画像形成装置１００の外観について説明する。図１は、本実施の形態の画像形成装置１００の外観を模式的に示す斜視図である。
【００２９】
本実施の形態における画像形成装置１００は、ＭＦＰであり、操作パネル１と、スキャナー部２と、ＡＤＦ（Ａｕｔｏ  Ｄｏｃｕｍｅｎｔ  Ｆｅｅｄｅｒ）４と、プリントエンジン部６（画像形成手段の一例）と、排紙トレイ８と、複数の給紙トレイ９とを主に備えている。
【００３０】
ＡＤＦ４は、画像形成装置１００の最上部に設けられている。ＡＤＦ４は、読み取り対象となる原稿をスキャナー部２に送る。スキャナー部２は、ＡＤＦ４の下に設けられている。スキャナー部２は、原稿を光学的に読取って画像データを得る。排紙トレイ８は、スキャナー部２の下部であって、プリントエンジン部６の上面に設けられている。排紙トレイ８には、画像が形成された用紙が排出される。
【００３１】
プリントエンジン部６は、画像形成装置１００の中央部に設けられている。プリントエンジン部６は、画像データに基づいて用紙上に画像を印刷する。複数の給紙トレイ９は、プリントエンジン部６の下部に設けられている。複数の給紙トレイ９の各々には、画像形成の対象となる用紙が収納されている。操作パネル１は、スキャナー部２の前面側（ユーザーが対向する側）に装着されている。操作パネル１は、各種情報を表示し、各種操作を受け付ける。
【００３２】
（操作パネル１の構成）
図２を参照して、本実施の形態の操作パネル１の構成について説明する。図２は、本実施の形態の操作パネル１の構成を模式的に示す図である。
【００３３】
操作パネル１は、電源用のキーＫＹと、ハードウェアキーである複数のキーＫＹ１〜ＫＹ８と、各種情報を表示し、各種操作を受け付ける表示部１ａと、外装ケースＣＰとを含んでいる。外装ケースＣＰの表面には操作面が設けられている。
【００３４】
複数のキーＫＹ１〜ＫＹ８は、操作部（ユーザーの指など）による各種の指示、数字、文字、または記号などの入力操作を受け付けるキーであり、操作面に存在している。操作面はたとえば平面である。複数のキーＫＹ１〜ＫＹ６は、表示部１ａの下部に設けられている。複数のキーＫＹ７およびＫＹ８は、表示部１ａの右側に設けられている。複数のキーＫＹ１〜ＫＹ８自体は、操作面に描かれた記号または絵柄にすぎない。複数のキーＫＹ１〜ＫＹ８の各々の下には電極が設けられている。
【００３５】
キーＫＹは、電源キーであり、画像形成装置１００の電源のオンオフの操作を受け付けるキーである。キーＫＹ１〜キーＫＹ３の各々は、機能キーであり、コピーまたはファックスなどの予め設定された条件を呼び出すためのキーである。キーＫＹ４は、スタートキーであり、各種ジョブの実行指示を受け付けるキーである。キーＫＹ５は、クリアキーであり、操作パネル１でそれまでに行なった設定をクリアする操作を受け付けるキーである。キーＫＹ６は、リセットキーである。キーＫＹ７は、メニューであり、画像形成装置１００の操作方法の説明を要求する操作を受け付けるキーである。キーＫＹ８は、ＩＤ（Ｉｄｅｎｔｉｆｉｃａｔｉｏｎ）キーであり、ユーザーがＩＤを入力する際に操作されるキーである。
【００３６】
キーＫＹの電源キーには、キートップ式のハードキーが用いられ、キーＫＹ１からキーＫＹ９の機能キーには、以下に示す構造の静電容量型スイッチが用いられる。
【００３７】
表示部１ａは操作面の上部に設けられている。表示部１ａは、表示部１ａへの操作を検出するタッチパネルを含んでいる。表示部１ａは、ユーザーからの各種操作（タッチ操作）を受け付ける画面であるメニュー画面（操作画面）などを表示し、受け付けた操作の位置を取得し、取得した位置に応じた入力情報を取得する。表示部１ａは、ユーザーから受け付けた操作に応じて各種情報を表示する。
【００３８】
操作パネル１は、ユーザーが画像形成装置１００の前に立った状態で操作しやすいように、操作面が水平面に対して傾斜するように、画像形成装置１００に取り付けられている。また操作パネル１は、車いすのユーザーが低い位置から操作する場合を配慮して、操作面の角度を調節することが可能である。
【００３９】
（画像形成装置１００の制御構成）
図３を参照して、画像形成装置１００の制御構成について説明する。図３は、本実施の形態の画像形成装置１００の制御構成を示すブロック図である。画像形成装置１００は、システムコントローラー１０１と、メモリ１０２と、ネットワークインターフェース１０３と、出力画像処理部１０４と、記憶装置１０５と、入力画像処理部１０６とを備えている。システムコントローラー１０１には、メモリ１０２、ネットワークインターフェース１０３、出力画像処理部１０４、記憶装置１０５、入力画像処理部１０６、操作パネル１、スキャナー部２、およびプリントエンジン部６の各々が接続されている。
【００４０】
システムコントローラー１０１は、スキャナジョブ、コピージョブ、メール送信ジョブ、およびプリントジョブなどの各種ジョブについて、画像形成装置１００全体の制御を行なう。システムコントローラー１０１は、ＣＰＵ１２１と、ＲＯＭ（Ｒｅａｄ  Ｏｎｌｙ  Ｍｅｍｏｒｙ）１２２などを含んでいる。
【００４１】
ＣＰＵ１２１は、ＲＯＭ１２２に記憶された制御プログラムを実行する。ＲＯＭ１２２は、画像形成装置１００の動作を行なうための各種プログラムと、各種固定データとを格納している。システムコントローラー１０１は、所定の処理を行なうことにより、メモリ１０２からのデータの読み込みや、メモリ１０２へのデータの書き込みを行なう。
【００４２】
メモリ１０２は、たとえばＲＡＭ（Ｒａｎｄｏｍ  Ａｃｃｅｓｓ  Ｍｅｍｏｒｙ）よりなっている。メモリ１０２は、ＣＰＵ１２１が制御プログラムを実行する際に必要なデータや画像データを一時的に記憶する。ネットワークインターフェース１０３は、システムコントローラー１０１からの指示に従って、ネットワークを介して外部機器との通信を行なう。出力画像処理部１０４は、画像の印刷を行なう場合などに、その画像データの形式を印刷データに変換する変換処理を行なう。
【００４３】
記憶装置１０５は、たとえばＨＤＤ（Ｈａｒｄ  Ｄｉｓｋ  Ｄｒｉｖｅ）よりなっている。記憶装置１０５は、画像形成装置１００の動作に関わる各種データを記憶する。さらに記憶装置１０５は、操作パネル１に表示する画面の画像データを記憶している。入力画像処理部１０６は、スキャナー部２で画像を読み取った場合などに、その画像データの形式を変換する変換処理を行なう。
【００４４】
プリントエンジン部６は、操作パネル１で受け付けた操作に基づいて、出力画像処理部１０４にて処理された印刷データを用いて、用紙などへ画像を形成する（プリントジョブを行なう）。特に画像形成装置１００がプリンターとして動作する場合、プリントエンジン部６は画像を印刷し、画像形成装置１００が複写機として動作する場合、プリントエンジン部６はスキャナー部２で読み取った画像を印刷する。
【００４５】
プリントエンジン部６は、おおまかに、トナー像形成部、定着装置、および用紙搬送部などで構成される。プリントエンジン部６は、たとえば電子写真方式で用紙に画像を形成する。トナー像形成部は、いわゆるタンデム方式で４色の画像を合成し、用紙（記録媒体）にカラー画像を形成する。
【００４６】
トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。
【００４７】
定着装置は、加熱ローラーおよび加圧ローラーを有する。定着装置は、加熱ローラーと加圧ローラーとでトナー像が形成された用紙を挟みながら搬送し、その用紙に加熱および加圧を行なう。これにより、定着装置は、用紙に付着したトナーを溶融させて用紙に定着させ、用紙に画像を形成する。
【００４８】
用紙搬送部は、給紙ローラー、搬送ローラー、およびそれらを駆動するモーターなどで構成されている。用紙搬送部は、用紙を給紙カセットから給紙して、画像形成装置１００の筐体の内部で搬送する。また、用紙搬送部は、画像が形成された用紙を画像形成装置１００の筐体から排紙トレイ８などに排出する。
【００４９】
（操作パネル１の制御構成を示すブロック図）
図２および図４を参照して、操作パネル１の制御構成について説明する。図４は、本実施の形態の操作パネルの制御構成を示すブロック図である。操作パネル１は、静電スイッチ制御部１０と、キー基板２０と、タッチパネル部３０と、ＬＣＤ部４０とを含んでいる。
【００５０】
キー基板２０は、４つの検出線ＬＮ１〜ＬＮ４を含んでいる。検出線ＬＮ１〜ＬＮ４の各々には、少なくとも１つの電極ＳＷが接続されている。キーＫＹ１〜ＫＹ９の各々には、検出線ＬＮ１〜ＬＮ４の各々に接続された電極ＳＷのうち少なくとも１つの電極が対応して設けられている。検出線ＬＮ１〜ＬＮ４の各々に接続された電極ＳＷの数（合計数）は、検出線ＬＮ１〜ＬＮ４の数（ここでは４つ）よりも多い。
【００５１】
静電スイッチ制御部１０は、操作パネル１全体を制御する。特に静電スイッチ制御部１０は、検出線ＬＮ１〜ＬＮ４の各々が対象物との間で構成する容量素子の静電容量に相当する情報に基づいて、操作部による操作を受け付けたキーを判断する。
【００５２】
以降、検出線が対象物との間で構成する容量素子の静電容量を、その検出線の静電容量と記すことがある。電極が対象物との間で構成する容量素子の静電容量を、その電極の静電容量と記すことがある。検出線の静電容量は、その検出線に接続された電極の静電容量の合計値にほぼ等しくなる。
【００５３】
静電スイッチ制御部１０は、ＣＰＵ１１（判断手段の一例）と、ＲＯＭ１２（記憶装置の一例）と、メモリ１３と、静電スイッチドライバー１４（容量出力手段の一例）とを含んでいる。ＣＰＵ１１は、ＲＯＭ１２、メモリ１３、静電スイッチドライバー１４、タッチパネル部３０、およびＬＣＤ部４０の各々と接続されている。
【００５４】
ＣＰＵ１１は、ＲＯＭ１２、メモリ１３、静電スイッチドライバー１４、タッチパネル部３０、およびＬＣＤ部４０の各々と通信を行なうことで、操作パネル１全体を制御する。ＲＯＭ１２は、ＣＰＵ１１が実行する制御プログラムを記憶する。メモリ１３は、ＲＯＭ１２と、ＣＰＵ１１が制御プログラムを実行する際に必要なデータを一時的に記憶するメモリ１３と、静電スイッチドライバー１４とを含んでいる。
【００５５】
静電スイッチドライバー１４のポートＰＴ１〜ＰＴ４の各々には、検出線ＬＮ１〜ＬＮ４の各々が接続されている。静電スイッチドライバー１４は、検出線ＬＮ１〜ＬＮ４の各々に対応するポート情報の各々をポートＰＴ１〜ＰＴ４の各々からＣＰＵ１１に出力する。ポート情報とは、対応する検出線の静電容量に相当する情報である。
【００５６】
具体的には、静電スイッチドライバー１４は、ポートＰＴ１〜ＰＴ４の各々を通じて検出線ＬＮ１〜ＬＮ４の各々の静電容量を計測し、計測した静電容量を電圧値に変換し、変換後の電圧値に対してＡＤ変換（アナログ−デジタル変換）を行なう。さらに静電スイッチドライバー１４は、ＡＤ変換後の電圧値を「０」または「１」というポート情報に変換してＣＰＵ１１に出力する。
【００５７】
ＣＰＵ１１は、静電スイッチドライバー１４から出力された検出線ＬＮ１〜ＬＮ４のポート情報に基づいて、キーＫＹ１〜ＫＹ９の中から操作部による操作を受け付けたキーを判断する。
【００５８】
タッチパネル部３０は、タッチパネル（ＴＰ）ドライバー３１と、タッチパネル３２とを含んでいる。タッチパネル３２は表示部１ａに対して行われた操作を検出する。タッチパネル（ＴＰ）ドライバー３１は、タッチパネル３２での検出結果に基づいて、表示部１ａに対して行われた操作を判断する。
【００５９】
ＬＣＤ部４０は、ＬＣＤドライバー４１と、ＬＣＤ４２とを含んでいる。ＬＣＤ４２は表示部１ａに設けられている。ＬＣＤドライバー４１は、ＬＣＤ４２に表示する画像を制御する。
【００６０】
（静電容量の検出における原理）
図５から図７を参照して、静電容量の検出における原理を説明する。図５に示す式２は、静電容量（感度）Ｃの計算式であり、図６に示す式３は、総静電容量ＣＴＯＴの計算式であり、図７は、静電センサーにおけるセンサーと指との静電関係を示す模式図である。
【００６１】
図５の式２に示すように、静電容量Ｃの計算式は、静電検出の感度を示す関係となる。静電容量Ｃは、εｒ：カバーの比誘電率、ε０：空間の誘電率、Ａ：指とセンサーが重なる面積に比例し、指とセンサーの距離ｄに反比例する。たとえば、指とセンサーの距離ｄの間隔が半分になると感度は２倍になる。センサーの面積が２倍になると、感度も２倍になる。
【００６２】
静電容量は、指が近づくことで生成される静電容量以外に機器構成に依存して生成される寄生容量（ＣＰ）が存在する。総静電容量ＣＴＯＴは、図６の式３で示され、図７に示す関係から、使用者の指ＨＦが近づくことで、ＣＰは固定値、ＣＦが可変し、感度検出が行なわれる。
【００６３】
図８から図１１を参照して、指と義手等の静電容量検出の違いの原理説明を示す。図８は、静電容量型スイッチの表面シートキー１ｓおよび電極ＳＷと指ＨＦとの関係を模式的に示した図、図９は、静電容量型スイッチの表面シートキー１ｓおよび電極ＳＷと操作部材ＳＴとの関係を模式的に示した第１図、図１０は、静電容量型スイッチの表面シートキー１ｓおよび電極ＳＷと操作部材ＳＴとの関係を模式的に示した第２図、図１１は、ＧＮＤ電極の有無における感度検出結果を示す図である。
【００６４】
図８に示す場合には、指ＨＦが電極として形成され、静電容量が生成される。図９に示す場合には、操作部材ＳＴは導電性を有さないために、操作部に電極は生成されず、静電容量が生成されない。図１０は、図９の課題を改善するために、表面シートキー１ｓ内にＧＮＤ電極１ｐを配置することで、静電容量が生成されるようにしている。これを実測したのが、図１１で示す感度データである。ＧＮＤ電極１ｐを配置することで、操作部材を用いた場合であっても指と同等の感度検出が得られるようになることが分かる。
【００６５】
表面シートキー１ｓは操作パネルの上側から、ユニットケース１ｃに対して両面テープで貼り合わせされている。表面シートキー１ｓには、画像生成装置を操作させるための複数のキーがあり、電源用のキーＫＹ以外の箇所において表面シートキー１ｓ（静電容量型スイッチ）が適用されている。電源キーでは、スリープ復帰用のため、コントローラＩＣへの電源供給が必要なため表面シートキーを適用しておらず、キートップ式のハードキーを用いている。
【００６６】
（静電容量型スイッチの断面構造）
図１２に本実施の形態における静電容量型スイッチの断面構造を示す。操作時のキー操作感（クリック感）を保持するために曲面上に形成された表面シートキー１ｓが用いられている。電極ＳＷは、ＣＰＵ１１に連結され、電極ＳＷは、ユニットケース１ｃに設けられた開口１ｈから露出している。
【００６７】
表面シートキー１ｓの上方に凸の曲面部は、電極ＳＷの上方に位置するように配置されている。表面シートキー１ｓは、操作時のキー操作感（クリック感）を保持するために、上方に凸の曲面形状に形成されている。
【００６８】
表面シートキー１ｓの内面には、ＧＮＤ電極１ｐが配置されており、電極パターン（静電タッチキー）を形成する基板のＧＮＤに接続されている。これにより、基板上に形成された電極パターンとの間に静電容量の電極が形成される。図１３に、表面シートキーの構成例を示す。図２に示した表面シートキーの構成と同じである。
【００６９】
さらに、表面シートキー１ｓの周囲には、上方に向って延びる凸部１ｔが設けられている。この凸部１ｔの内部にもＧＮＤ電極１ｐが設けられている。これにより、義手やマウスティック等の操作部材ＳＴによる静電検出しない操作時にでも、表面シートキー１ｓの押下時に、表面シートキー１ｓと連動してＧＮＤ電極１ｐが可動することで、指での操作時と同じような感度検出が可能になる。
【００７０】
図１４および図１５に、操作部材ＳＴとしてマウススティックを用いて操作したときの状態を示す。図１４は、操作部材が表面シートキー１ｓの中央に位置する状態の模式図、図１５は、操作部材が表面シートキー１ｓの周囲に位置する状態の模式図である。
【００７１】
静電容量型スイッチを、マウススティックで操作すると、表面シートキー１ｓの表面をマウススティックが滑ることが考えられる（図１４に示す状態から図１５に示す状態）。この場合には、表面シートキー１ｓの周囲に設けられた凸部１ｔにマウススティックが引っ掛かり（Ａで囲まれた領域）、マウススティックが滑った場合でも、マウススティックでの静電容量型スイッチの操作を確実なものとする。
【００７２】
表面シートキー１ｓの周囲に配置された凸部１ｔは、残性変形可能な材料（ＰＥＴ材の樹脂材料など）で形成されており、表面シートキー１ｓの周囲の凸部１ｔの近傍を押下され、凸部１ｔの内部のＧＮＤ電極１ｐと連動して可動することにより感度検出が可能なる。
【００７３】
表面シートキー１ｓの内面に配置されているＧＮＤ電極１ｐは導電体部材（銀、銅）で印刷、または、表面シートキー１ｓに沿った金属部材で形成されている。ＧＮＤ電極１ｐは、表面シートキー１ｓの周囲の凸部１ｔの内部にまで設けられていることが好ましいが、凸部１ｔの内部にまで設けられず、凸部１ｔの手前までＧＮＤ電極１ｐが設けられている構成でもよい。
【００７４】
凸部１ｔから表面シートキー１ｓのエッジまでの箇所でキー押下された場合でも、感度検出され、静電容量型スイッチによる操作は可能である。
【００７５】
隣接する静電容量型スイッチによる誤検出を防止するため、ＧＮＤ電極１ｐのサイズは、表面シートキー１ｓのサイズと同等または表面シートキー１ｓのサイズ以下であるとよい。
【００７６】
図１６および図１７を参照して、ＧＮＤ電極１ｐの第１および第２接続例を示す。図１６に示すように、表面シートキー１ｓ内に配置されたＧＮＤ電極１ｐは、表面シートキー１ｓの内面に形成され、表面シートキー１ｓの外部に設けられた共通のＧＮＤ電位の配線１ｇに接続される。
【００７７】
または、図１７を参照して、ＧＮＤ電極１ｐは、それぞれ独立して形成され、静電容量型スイッチが形成される基板のＧＮＤ電位の配線１ｇに対して、それぞれ個々に接続される。これにより、感度検出を可能としている。
【００７８】
静電容量型スイッチのＧＮＤ電極１ｐのサイズは、電極ＳＷのパターンのサイズと同等またはそれ以下であるとよい。
【００７９】
以上の説明において、表面シートキー１ｓの形状として、円形である場合を示してきたが、矩形であってもよい。
【００８０】
（実施の形態２）
図１８に、本実施の形態における画像形成装置の動作フローチャートを示す。画像形成装置の動作モードがスリープ中であれば、電源キー以外の押下は受け付けされない（Ｓ１０）。動作モードが通常モード時において、静電容量型スイッチの静電容量が検出される（Ｓ２０）。検出した静電容量が閾値より小さければ、静電容量値を監視し続ける（Ｓ３０）。
【００８１】
検出した静電容量が閾値以上であれば、静電容量型スイッチのキー押下であると判断して（Ｓ４０）、操作キーに対応した画像形成装置の操作制御が行われる（Ｓ５０）。各キーの閾値は、均一ではなく、それぞれキーごとで設定された閾値を所持するとよい。
【００８２】
以上、本実施の形態に基づいた画像形成装置によれば、画像形成装置の操作パネル上に配置された各静電容量型スイッチのキー押下において、キー中央部とキーエッジ部とで検出感度が均一な操作が可能となる。
【００８３】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
１，５０１  操作パネル、１ａ  表示部、１ｃ  ユニットケース、１ｈ  開口、１ｍ  誘電体部材、１ｐ  ＧＮＤ電極、１ｓ  表面シートキー、１ｔ  凸部、２  スキャナー部、６  プリントエンジン部、８  排紙トレイ、９  給紙トレイ、１０  静電スイッチ制御部、１２，１２２  ＲＯＭ、１３，１０２  メモリ、１４  静電スイッチドライバー、２０  キー基板、３０  タッチパネル部、３１，４１  ドライバー、３２  タッチパネル、１００  画像形成装置、１０１  システムコントローラー、１０３  ネットワークインターフェース、１０４  出力画像処理部、１０５  記憶装置、１０６  入力画像処理部、５４０  チャンネル、５５０  出力制御回路、５５１  入力端、５６０  パネルユニット制御部、ＳＷ  電極。
【図１】
2018063911.tif 000003
【図２】
2018063911.tif 000004
【図３】
2018063911.tif 000005
【図４】
2018063911.tif 000006
【図５】
2018063911.tif 000007
【図６】
2018063911.tif 000008
【図７】
2018063911.tif 000009
【図８】
2018063911.tif 000010
【図９】
2018063911.tif 000011
【図１０】
2018063911.tif 000012
【図１１】
2018063911.tif 000013
【図１２】
2018063911.tif 000014
【図１３】
2018063911.tif 000015
【図１４】
2018063911.tif 000016
【図１５】
2018063911.tif 000017
【図１６】
2018063911.tif 000018
【図１７】
2018063911.tif 000019
【図１８】
2018063911.tif 000020
【図１９】
2018063911.tif 000021